(57)【要約】  ユーザーの身体部分を訓練するための訓練システムにおいて、訓練システムを表面上に位置決めするためのベースフレームと、ユーザーを支持するための振動プラットフォーム、及び振動プラットフォームを振動状態に動かすように構成及び構築された振動モータとを有する振動装置と、ユーザーの身体部分の筋肉にプレテンションを生じるためのプレテンション装置とを有し、プレテンション装置は、ユーザーによって把持されるように構成及び構築されるハンドル部材と、ハンドル部材をリールに結合するフレキシブルな結合部材を巻き取るリールと、振動装置によって発生した振動をハンドル部材に伝えるべく結合部材に連続して張力がかかるようにリールを駆動するように構成及び構築されるリール駆動部とを有し、リールはベースフレームに接続されていることを特徴とする訓練システム。【選択図】図１
2014508626.tif 000002
【特許請求の範囲】
【請求項１】
ユーザーの身体部分を訓練するための訓練システムにおいて、
訓練システムを表面上に位置決めするためのベースフレームと、
ユーザーを支持するための振動プラットフォーム、及び該振動プラットフォームを振動状態に動かすように構成及び構築された振動モータとを有する振動装置と、
ユーザーの身体部分の筋肉にプレテンションを生じるためのプレテンション装置とを有し、
前記プレテンション装置は、ユーザーによって把持されるように構成及び構築されるハンドル部材と、該ハンドル部材をリールに結合するフレキシブルな結合部材を巻き取るリールと、前記振動装置によって発生した振動を前記ハンドル部材に伝えるべく結合部材に連続して張力がかかるように前記リールを駆動するように構成及び構築されるリール駆動部とを有し、前記リールは前記ベースフレームに接続されていることを特徴とする訓練システム。
【請求項２】
前記リールは前記振動プラットフォームに接続されていないことを特徴とする請求項１に記載の訓練システム。
【請求項３】
前記リールは、リールがベースフレームに対して静止位置に固定されるように前記ベースフレームに接続されていることを特徴とする請求項１又は２に記載の訓練システム。
【請求項４】
前記リールは振動モータによる振動を実質的に受けないように前記ベースフレームに接続されていることを特徴とする請求項１〜３のいずれか一項に記載の訓練システム。
【請求項５】
前記プレテンション装置は、前記結合部材をリールから繰り出し、かつ／又は結合部材をリールに巻き取る際に、結合部材をガイドするための少なくとも１つの結合部材ガイドを有することを特徴とする請求項１〜４のいずれか一項に記載の訓練システム。
【請求項６】
前記結合部材ガイドの内の少なくとも１つは前記振動プラットフォームに接続されかつ前記結合部材に接触し、振動プラットフォームの振動を結合部材に伝達することを特徴とする請求項５に記載の訓練システム。
【請求項７】
前記結合部材ガイドの内の２つは前記振動プラットフォームに接続されかつ前記結合部材に接触し、振動プラットフォームの振動を結合部材に伝達することを特徴とする請求項５に記載の訓練システム。
【請求項８】
前記結合部材ガイドの内の１つは前記ベースフレームに接続されかつ前記結合部材に接触することを特徴とする請求項５〜７のいずれか一項に記載の訓練システム。
【請求項９】
前記ベースフレームに接続された前記結合部材ガイドは、前記結合部材の方向において前記振動プラットフォームに接続された前記２つの結合部材ガイドの間に配置されることを特徴とする請求項７と組み合わせた請求項８に記載の訓練システム。
【請求項１０】
少なくとも１つの結合部材ガイドはローラ軸の周りに回転可能なローラを有することを特徴とする請求項５〜９のいずれか一項に記載の訓練システム。
【請求項１１】
前記リールは前記ベースフレームと前記振動プラットフォームの間に配置されることを特徴とする請求項１〜１０のいずれか一項に記載の訓練システム。
【請求項１２】
前記振動プラットフォームは前記リールを覆うように構成及び構築されていることを特徴とする請求項１〜１１のいずれか一項に記載の訓練システム。
【請求項１３】
前記振動プラットフォームは前記結合部材ガイドを覆うように構成及び構築されていることを特徴とする請求項１〜１２のいずれか一項に記載の訓練システム。
【請求項１４】
前記振動プラットフォームは、振動プラットフォーム上に位置するユーザーに対し、前記リールへのアクセスを阻止するように構成及び構築されていることを特徴とする請求項１〜１３のいずれか一項に記載の訓練システム。
【請求項１５】
前記振動プラットフォームは、振動プラットフォーム上に位置するユーザーに対し、前記結合部材ガイドへのアクセスを阻止するように構成及び構築されていることを特徴とする請求項１〜１４のいずれか一項に記載の訓練システム。
【請求項１６】
前記振動プラットフォームは前記結合部材が貫通して延びる開口部を有することを特徴とする請求項１〜１５のいずれか一項に記載の訓練システム。
【請求項１７】
２つのプレテンション装置を有することを特徴とする請求項１〜１６のいずれか一項に記載の訓練システム。
【請求項１８】
請求項１〜１７のいずれか一項に記載のプレテンション装置。
【請求項１９】
請求項１〜１７のいずれか一項に記載の訓練システムで使用するためのプレテンション装置であって、前記プレテンション装置は、ユーザーによって把持されるように構成及び構築されるハンドル部材と、該ハンドル部材をリールに結合するフレキシブルな結合部材を巻き取るためのリールと、使用時に前記振動装置によって発生した振動を前記ハンドル部材に伝えるべく結合部材に連続して張力がかかるように前記リールを駆動するように構成及び構築されるリール駆動部とを有し、前記プレテンション装置は前記ベースフレームに接続されるように構成及び構築されることを特徴とするプレテンション装置。
【請求項２０】
前記ベースフレームに接続されるように構成及び構築される一方で、前記振動プラットフォームに接続されていないことを特徴とする請求項１９に記載のプレテンション装置。
【請求項２１】
請求項１〜１７のいずれか一項に記載の訓練システムの使用。
【請求項２２】
請求項１８〜２０のいずれか一項に記載のプレテンション装置の使用。
【発明の詳細な説明】
【技術分野】
【０００１】
本発明はユーザーの身体部分を訓練するための訓練システムに関する。その訓練システムは、訓練システムを表面上に位置決めするためのベースフレームと、ユーザーを支持するための振動プラットフォーム及びその振動プラットフォームを振動状態に動かすように構成及び構築された振動モータとを有する振動装置と、身体部分の筋肉にプレテンションを生じるためのプレテンション装置とを有する。そのプレテンション装置は、ユーザーによって把持されるように構成及び構築されるハンドル部材と、そのハンドル部材をリールに結合するフレキシブルな結合部材を巻き取るリールと、前記振動装置によって発生した振動を前記ハンドル部材に伝えるべく結合部材に連続して張力がかかるように前記リールを駆動するように構成及び構築されるリール駆動部とを有する。
【背景技術】
【０００２】
従来から知られている訓練システムでは、リール駆動部は、リールが結合部材を巻き取りがちになるように使用中絶えずリールを駆動するバネを有する。実際にリールは常に結合部材を引っ張っている。このようにして、リールは常にフレキシブルな結合部材に対して巻き取り力を与えている。ユーザーがその巻き取り力に抵抗した場合、フレキシブルな結合部材に張力がかかり振動装置によって生じた振動がハンドル部材に伝わることになる。このように、ユーザーは、結合部材がリールに巻き取られたり更に／或いはリールから繰り出されるようにハンドル部材を動かすことができるが、そのハンドル部材に触れているユーザーの身体部分には振動が伝わることにもなる。
【発明の概要】
【０００３】
本発明の目的は改良された訓練システムを提供することにある。本発明による訓練システムは、訓練システムを表面上に位置決めするためのベースフレームと、ユーザーを支持するための振動プラットフォーム及び該振動プラットフォームを振動状態に動かすように構成及び構築された振動モータとを有する振動装置と、前記身体部分の筋肉にプレテンションを生じるためのプレテンション装置とを有し、前記プレテンション装置は、ユーザーによって把持されるように構成及び構築されるハンドル部材と、該ハンドル部材をリールに結合するフレキシブルな結合部材を巻き取るリールと、前記振動装置によって発生した振動を前記ハンドル部材に伝えるべく結合部材に連続して張力がかかるように前記リールを駆動するように構成及び構築されるリール駆動部を有し、前記リールは前記ベースフレームに接続される。
【０００４】
既知の訓練システムではリールが振動プラットフォームに接続されている。本発明による訓練システムではリールがベースフレームに接続されている。これにより、振動プラットホームの振動を最適化するにあたり振動装置の設計の自由度が増す。
【０００５】
本発明による訓練システムの一実施形態では、前記リールは前記振動プラットフォームに接続されない。
【０００６】
本発明による訓練システムの一実施形態では、前記リールは、リールがベースフレームに対して静止位置に固定されるように前記ベースフレームに接続される。
【０００７】
本発明による訓練システムの一実施形態では、前記リールは振動モータによる振動を実質的に受けないように前記ベースフレームに接続される。
【０００８】
本発明による訓練システムの一実施形態では、前記振動装置は１０〜１００Ｈｚの周波数で振動プラットフォームを振動するように構成及び構築される。振動装置を２０〜８０Ｈｚの周波数で振動プラットフォームを振動するように構成及び構築しても良い。また振動装置を２０〜５０Ｈｚの周波数で振動プラットフォームを振動するように構成及び構築しても良い。
【０００９】
本発明による訓練システムの一実施形態では、前記振動装置は０．０１〜１５ｍｍの振幅で振動プラットフォームを振動するように構成及び構築される。振動装置を０．１〜７ｍｍの振幅で振動プラットフォームを振動するように構成及び構築しても良い。また振動装置を０．１〜３ｍｍの振幅で振動プラットフォームを振動するように構成及び構築しても良い。
【００１０】
本発明はさらに、本発明に係るプレテンション装置にも関係する。
【００１１】
本発明によるプレテンション装置の一実施形態において、そのプレテンション装置は、ユーザーによって把持されるように構成及び構築されるハンドル部材と、そのハンドル部材をリールに結合するフレキシブルな結合部材を巻き取るためのリールと、使用時に前記振動装置によって発生した振動を前記ハンドル部材に伝えるべく結合部材に連続して張力がかかるように前記リールを駆動するように構成及び構築されるリール駆動部とを有し、プレテンション装置は前記ベースフレームに接続されるように構成及び構築される。
【００１２】
本発明によるプレテンション装置の一実施形態において、そのプレテンション装置は前記ベースフレームに接続されるも前記振動プラットフォームには接続されないように構成及び構築される。
【００１３】
本発明はさらに、本発明による訓練システムの使用にも関係する。
【００１４】
本発明はさらに、本発明によるプレテンション装置の使用にも関係する。
【００１５】
訓練システム、プレテンション装置、及びそれらの使用についての実施形態は、添付図面を参照しながら詳細に説明する。
【図面の簡単な説明】
【００１６】
【図１】本発明による訓練システムの実施形態の概略的斜視図である。
【図２】振動プラットフォームを除去した状態での図１の訓練システムを示す図である。
【図３】図１の訓練システムのプレテンション装置の概略的拡大図である。
【図４】振動プラットフォームを除去した状態での図３の概略的拡大図である。
【図５】図１の訓練システムのリールの概略的分解図である。
【発明を実施するための形態】
【００１７】
図１及び図２は本発明による訓練システムの実施形態の斜視図である。図２では、振動プラットフォームは振動装置をさらに詳細に示すために取り外されている。訓練システム１はユーザーの身体部分を訓練するために構成及び構築されている。訓練システム１は、地面や建物の床の可能性ある表面３上に訓練システムを位置決めするベースフレーム２を有する。訓練システム１はさらに、ユーザーを支持するための振動プラットホーム５及びその振動プラットホーム５を振動した状態に動かすように構成及び構築された振動モータ６を有する振動装置４を備える。プレテンション装置７はユーザーの身体部分の筋肉にプレテンションを生むために設けられる。プレテンション装置７は、ユーザーによって把持されるように構成及び構築されるハンドル部材８と、ハンドル部材８をリール９に結合するフレキシブルな結合部材１０を巻き取るリール９と、振動装置４によって発生した振動をハンドル部材８に伝えるべく結合部材１０に連続して張力がかかるようにリール９を駆動するように構成及び構築されるリール駆動部１１とを有する。リール８はベースフレーム２に接続されている。
【００１８】
振動モータ６によって誘起される振動プラットホーム５の振動は矢印１６で示されている。ベースフレーム２に対して振動プラットホーム５は振動した状態で動かされる。
【００１９】
リール９は振動プラットフォーム５への接続から自由な状態となっている。このことは、リール９が振動プラットホーム５に接続されていないことを意味する。リール９はベースフレーム２に接続されることで、リール９はベースフレーム２に対して静止位置に固定される。リール９は、リール９が実質的に振動モータ６による振動状態の動きがないように、ベースフレーム２に接続される。リール９は２つの接続具２９、より具体的には２本のボルトによってベースフレーム２に接続されるが、例えば係合、溶接、接着等といったような他のタイプの接続形態を使用しても良い。リール９はベースフレーム９と一体化しても良い。
【００２０】
振動モータ６は２つの振動ユニット１７を有する。振動ユニット１７の各々は、１軸周りに回転して振動を誘起する１つ又はそれ以上の偏心ウエイトを備えている。振動プラットホーム５を振動させるのに適しているならば如何なるタイプの振動モータ６を使用しても良い。振動モータ６、より具体的に言えば振動ユニット１７は結合フレーム１８を介して振動プラットホーム５に接続されている。振動モータ６の振動は結合フレーム１８を介して振動プラットホーム５に伝達される。結合フレーム１８はダンパ１９を介してベースフレーム２によって支持される。ダンパ１９は、ベースフレーム２への振動伝達を低減したり無くしたりするために構成及び構築される。
【００２１】
リール９はベースフレーム２に接続される。このことは、振動プラットホーム５の振動を最適化するにあたり振動装置４の設計の自由度が増すことになる。
【００２２】
訓練システム１のその構成により、振動モータ６は、振動プラットホーム５を振動状態に動かす際、リール９の質量を移動する必要がない。これは、振動モータ６に対してはより低い負荷しかかからず、結果的には振動モータ６の摩耗量が低くなることを意味している。このことはさらに、より軽量の振動モータ６の使用を可能にし、コスト削減をもたらすことにもなる。
【００２３】
訓練システム１のその構成により、リール９は、実質的に振動モータ６によって振動した状態では動かない。これはリール９の摩耗量低減をもたらすことになる。
【００２４】
図３及び図４は図１の訓練システムのプレテンション装置の拡大図である。図４ではプレテンション装置をさらに詳細に示すため、振動プラットフォームは取り除かれている。
【００２５】
プレテンション装置７は、振動プラットホーム５に接続されかつ結合部材１０に接触する第１の結合部材ガイド１３Ａと第２の結合部材ガイド１３Ｂを有して振動プラットホーム５の振動を結合部材１０に伝達する。第１及び第２結合部材ガイド１３Ａ、１３Ｂは結合フレーム１８を介して振動プラットホーム５に接続されている。
【００２６】
プレテンション装置７はさらに、ベースフレーム２に接続されかつ結合部材１０と接触する第３の結合部材ガイド１３Ｃを有する。第３の結合部材ガイド１３Ｃは、結合部材の方向において、第１結合部材ガイド１３Ａと第２結合部材ガイド１３Ｂの間に位置する。
【００２７】
結合部材ガイド１３Ａ〜Ｃの各々はローラ軸２１の周りに回転可能なローラ２０を有する。
【００２８】
リール９はベースフレーム２と振動プラットホーム５との間に配置されている。振動プラットホーム５はリール９を覆うように構成及び構築されている。振動プラットホーム５は結合部材ガイド１３を覆うように構成及び構築されている。振動プラットホーム５は、振動プラットフォーム５上に位置するユーザーに対して、リール９へのアクセスを阻止するように構成及び構築されている。振動プラットフォーム５は振動プラットフォーム５上に位置するユーザーに対して、結合部材ガイド１３へのアクセスを阻止するように構成及び構築されている。振動プラットホーム５は開口部２２を有し、この開口部を通って結合部材１０が延びる。
【００２９】
訓練システム１は２つのプレテンション装置７を有する。
【００３０】
図５は本発明による訓練システムのリールの分解図を示している。リール９は、第１ハウジング蓋２４と第２ハウジング蓋２５によって閉鎖された空間を形成するリールハウジング２３を有する。結合部材１０を巻き取るリール本体２６がリールハウジング２３内に配置される。また、リール駆動部１１がリールハウジング２３内に配置される。結合部材１０に連続した状態で張力がかかり、振動装置４によって発生した振動がハンドル部材８へ伝達されるように、リール駆動部１１はリール９、より具体的にはリール本体２６を駆動するように構成及び構築されている。リール駆動部２７は２つ駆動バネ２７と駆動ハンドル２８を有しており、駆動ハンドル２８を手動回転することで駆動バネ２７の張力を調整するようになっている。
【００３１】
本発明による訓練システム、プレテンション装置及びその使用に関しては発明の範囲から逸脱することなく様々な改良が可能であることが当業者には明らかであろう。
【図１】
2014508626.tif 000003
【図２】
2014508626.tif 000004
【図３】
2014508626.tif 000005
【図４】
2014508626.tif 000006
【図５】
2014508626.tif 000007
【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
ユーザーの身体部分を訓練するための訓練システムにおいて、
訓練システムを表面上に位置決めするためのベースフレームと、
ユーザーを支持するための振動プラットフォーム、及び該振動プラットフォームを振動状態に動かすように構成及び構築された振動モータとを有する振動装置と、
ユーザーの身体部分の筋肉にプレテンションを生じるための少なくとも一つのプレテンション装置とを有し、
前記少なくとも一つのプレテンション装置は、ユーザーによって把持されるように構成及び構築されるハンドル部材と、該ハンドル部材をリールに結合するフレキシブルな結合部材を巻き取るリールと、前記振動装置によって発生した振動を前記ハンドル部材に伝えるべく結合部材に連続して張力がかかるように前記リールを駆動するように構成されるリール駆動部とを有し、前記リールは前記ベースフレームに接続されておりかつ前記振動プラットフォームに接続されていないことを特徴とする訓練システム。
【請求項２】
前記リールは、リールがベースフレームに対して静止位置に固定されるように前記ベースフレームに接続されていることを特徴とする請求項１に記載の訓練システム。
【請求項３】
前記リールは振動モータによる振動を実質的に受けないように前記ベースフレームに接続されていることを特徴とする請求項１に記載の訓練システム。
【請求項４】
前記少なくとも１つのプレテンション装置は、前記結合部材をリールから繰り出し、かつ／又は結合部材をリールに巻き取る際に、結合部材をガイドするための少なくとも１つの結合部材ガイドを有することを特徴とする請求項１に記載の訓練システム。
【請求項５】
前記少なくとも１つの結合部材ガイドは前記振動プラットフォームに接続されかつ前記結合部材に接触し、振動プラットフォームの振動を結合部材に伝達することを特徴とする請求項４に記載の訓練システム。
【請求項６】
前記結合部材ガイドの内の２つは前記振動プラットフォームに接続されかつ前記結合部材に接触し、振動プラットフォームの振動を結合部材に伝達することを特徴とする請求項４に記載の訓練システム。
【請求項７】
前記結合部材ガイドの内の１つは前記ベースフレームに接続されることを特徴とする請求項６に記載の訓練システム。
【請求項８】
前記少なくとも１つの結合部材ガイドは、複数の結合部材ガイドを備え、前記ベースフレームに接続された前記複数の結合部材ガイドの内の少なくとも１つは、前記振動プラットフォームに接続された前記複数の結合部材ガイドの内の２つの間に配置されることを特徴とする請求項４に記載の訓練システム。
【請求項９】
少なくとも１つの結合部材ガイドはローラ軸の周りに回転可能なローラを有することを特徴とする請求項４に記載の訓練システム。
【請求項１０】
前記リールは前記ベースフレームと前記振動プラットフォームの間に配置されることを特徴とする請求項１に記載の訓練システム。
【請求項１１】
前記振動プラットフォームは前記リールを覆うことを特徴とする請求項１に記載の訓練システム。
【請求項１２】
前記振動プラットフォームは前記少なくとも１つの結合部材ガイドを覆うことを特徴とする請求項４に記載の訓練システム。
【請求項１３】
前記振動プラットフォームは、振動プラットフォーム上に位置するユーザーに対し、前記リールへのアクセスを阻止するように構成されていることを特徴とする請求項１に記載の訓練システム。
【請求項１４】
前記振動プラットフォームは、振動プラットフォーム上に位置するユーザーに対し、前記少なくとも１つの結合部材ガイドへのアクセスを阻止するように構成されていることを特徴とする請求項４に記載の訓練システム。
【請求項１５】
前記振動プラットフォームは前記結合部材が貫通して延びる開口部を有することを特徴とする請求項１に記載の訓練システム。
【請求項１６】
前記少なくとも１つのプレテンション装置は、２つのプレテンション装置を有することを特徴とする請求項１に記載の訓練システム。
【国際調査報告】
2014508626.tif 000008
2014508626.tif 000009